(57)【特許請求の範囲】
【請求項１】
映像信号に基づく映像を受像管に対して出力する際に、ライン２１やライン２８４に重畳されたレーティング情報を抽出し、該レーティング情報に応じて当該映像を識別不可能になるようブロックする映像処理装置であって、
上記レーティング情報の付加された映像信号を入力する映像信号入力手段と、
この映像信号入力手段にて入力された映像信号から上記レーティング情報を抽出するレーティング情報抽出手段と、
このレーティング情報抽出手段にて抽出されたレーティング情報が所定の視聴禁止レーティングを超える場合に、該レーティング情報を受信した直後に入力された映像信号に基づく映像出力を停止させ且つ所定のＲＧＢデータを上記受像管に出力させて上記ブロックを実行する一方、前記レーティング情報抽出手段にて抽出されたレーティング情報が所定の視聴禁止レーティングを超えない場合には該レーティング情報を受信した直後に入力された映像信号に基づく映像を前記受像管に出力させ且つ前記受像管に対する前記所定のＲＧＢデータの出力を行わないブロック実行手段と、
を具備し、
前記ブロック実行手段は、
前記ブロックを実行するにあたり、レーティング情報を抽出してから該レーティング情報に基づく前記所定のＲＧＢデータの表示が開始されるまでの間に、入力映像信号のレベルに応じて映像増幅回路の利得を調整するための自動利得調整回路を制御して前記利得を通常よりも低下させることにより出力映像のコントラストを小さくする一方、
前記ブロックを解除するにあたり、レーティング情報を抽出してから該レーティング情報に基づいて前記所定のＲＧＢデータの出力が停止されると、該停止後に前記自動利得調整回路を制御して前記利得を通常に戻すことを特徴とする映像処理装置。
【請求項２】
上記請求項１に記載の映像処理装置において、
上記ブロック実行手段は、出力映像として所定のグラフィックパターンを表示させるオンスクリーン表示部を具備し、上記ブロック実行時に同オンスクリーン表示部から前記所定のＲＧＢデータを出力させることにより低輝度のグラフィックパターンを表示することを特徴とする映像処理装置。
【請求項３】
上記請求項１または請求項２に記載の映像処理装置において、
上記ブロック実行手段は、上記受像管のカソードに印加する電圧レベルを調整可能であり、上記ブロック時には前記映像増幅回路の利得調整と同カソード電圧レベルの調整との少なくとも一方を行うことにより上記映像信号に基づく映像出力の輝度を小さくすることを特徴とする映像処理装置。
【請求項４】
入力映像信号に基づく映像を受像管に対して出力する際に、ライン２１やライン２８４に重畳されたレーティング情報を抽出し、該レーティング情報に応じて当該映像を識別不可能になるようブロックする映像処理方法であって、
上記レーティング情報の付加された映像信号から上記レーティング情報を抽出するレーティング情報抽出工程と、
このレーティング情報抽出工程にて抽出されたレーティング情報が所定の視聴禁止レーティングを超える場合に、該レーティング情報を受信した直後に入力された前記映像信号に基づく映像出力を停止させ且つ所定のＲＧＢデータを上記受像管に出力させて上記ブロックを実行する一方、前記レーティング情報抽出工程にて抽出されたレーティング情報が所定の視聴禁止レーティングを超えない場合には該レーティング情報を受信した直後に入力された前記映像信号に基づく映像を前記受像管に出力させ且つ前記受像管に対する前記所定のＲＧＢデータの出力を行わないブロック実行工程と、
を具備し、
前記ブロック実行工程においては、
前記ブロックを実行するにあたり、レーティング情報を抽出してから該レーティング情報に基づく前記所定のＲＧＢデータの表示が開始されるまでの間に、入力映像信号のレベルに応じて映像増幅回路の利得を調整するための自動利得調整回路を制御して前記利得を通常よりも低下させることにより出力映像のコントラストを小さくする一方、
前記ブロックを解除するにあたり、レーティング情報を抽出してから該レーティング情報に基づいて前記所定のＲＧＢデータの出力が停止されると、該停止後に前記自動利得調整回路を制御して前記利得を通常に戻すことを特徴とする映像処理方法。
【発明の詳細な説明】
【０００１】
【発明の属する技術分野】
本発明は、映像処理装置および映像処理方法に関し、特に、映像信号に付加された視聴許容ランクに応じて映像出力を許容あるいは禁止する映像処理装置および映像処理方法に関する。
【０００２】
【従来の技術】
テレビジョン装置に使用される従来の映像処理装置および映像処理方法においては、テレビ番組の内容に応じて視聴許容ランクが付加された放送信号をチューナで受信したとき、この視聴許容ランクを抽出して視聴者の設定した視聴禁止ランクと比較する。そして、視聴許容ランクが視聴禁止ランクを超えるときに、テレビ番組の視聴を禁止するいわゆるブロックを実行している。このブロックの際に、受像管にてＯＳＤ表示可能な構成にしておいて、当該ブロック時にＯＳＤ表示によって視聴禁止ランクを利用者に対して示すことが常用されており、通常は、ブルーバックあるいはブラックバックに白文字で視聴禁止ランクを表示している。
【０００３】
【発明が解決しようとする課題】
上述した従来の映像処理装置および映像処理方法においては、次のような課題があった。
ブルーバックのような通常の単色のＯＳＤ表示においては当該単色の輝度成分が大きく、色の強さおよび映像の急激な変化によって視聴者に違和感を与え、ブラックバックに白文字を表示する場合にはバックの黒色が非常に目立って視聴者に違和感を与えてしまう。また、前者においても後者においても映像の変化によって視聴者の目に負担をかけてしまう。
一方、特公平第２−４７１５５号公報には適正レベルの黒信号を再現するための技術が開示されているが、当該技術はブロック時の映像処理について使用するものではなかった。
本発明は、上記課題にかんがみてなされたもので、視聴者が映像変化を急激なものと感じることがなくて目に優しく、自然な感じを抱かせるブロック処理を行うことが可能な映像処理装置および映像処理方法の提供を目的とする。
【０００４】
【課題を解決するための手段】
上記目的を達成するため、請求項１にかかる発明は、映像信号に基づく映像を受像管に対して出力する際に、ライン２１やライン２８４に重畳されたレーティング情報を抽出し、該レーティング情報に応じて当該映像を識別不可能になるようブロックする映像処理装置であって、上記レーティング情報の付加された映像信号を入力する映像信号入力手段と、この映像信号入力手段にて入力された映像信号から上記レーティング情報を抽出するレーティング情報抽出手段と、このレーティング情報抽出手段にて抽出されたレーティング情報が所定の視聴禁止レーティングを超える場合に、該レーティング情報を受信した直後に入力された前記映像信号に基づく映像出力を停止させ且つ所定のＲＧＢデータを上記受像管に出力させて上記ブロックを実行する一方、前記レーティング情報抽出手段にて抽出されたレーティング情報が所定の視聴禁止レーティングを超えない場合には該レーティング情報を受信した直後に入力された前記映像信号に基づく映像を前記受像管に出力させ且つ前記受像管に対する前記所定のＲＧＢデータの出力を行わないブロック実行手段と、を具備し、前記ブロック実行手段は、前記ブロックを実行するにあたり、レーティング情報を抽出してから該レーティング情報に基づく前記所定のＲＧＢデータの表示が開始されるまでの間に、入力映像信号のレベルに応じて映像増幅回路の利得を調整するための自動利得調整回路を制御して前記利得を通常よりも低下させることにより出力映像のコントラストを小さくする一方、前記ブロックを解除するにあたり、レーティング情報を抽出してから該レーティング情報に基づいて前記所定のＲＧＢデータの出力が停止されると、該停止後に前記自動利得調整回路を制御して前記利得を通常に戻す構成としてある。
【０００５】
上記のように構成した請求項１にかかる発明においては、映像信号に基づく映像を受像管に対して出力する際に視聴許容ランクに応じて当該映像を識別不可能になるようブロックする。本発明はこのブロック時において上記受像管の出力映像を刺激の少ないものにするものであり、このため、映像信号入力手段は上記視聴許容ランクの付加された映像信号を入力する。映像信号入力手段が同視聴許容ランクの付加された映像信号を入力すると、視聴許容ランク抽出手段はこの映像信号入力手段にて入力された映像信号から上記視聴許容ランクを抽出する。そして、ブロック実行手段はこの視聴許容ランク抽出手段にて抽出された視聴許容ランクが所定の視聴禁止ランクを超える場合に視聴者に対する刺激が少ない映像を上記受像管に出力させて上記ブロックを実行する。
【０００６】
ここで、刺激が少ない映像とは上述の従来例において表示していたような輝度成分が大きい映像ではなく、また、黒が非常に目立つ映像でもない。すなわち、概ね低輝度でありコントラストも小さいと好適である。かかる映像によると、単色ＯＳＤ表示にかかるバックや黒に近いバックであっても視聴者に違和感を与えたり目に負担をかけることがない。また、黒に近いバックを使用するときに文字表示を白でなく灰色等にするとコントラストが小さくなって好適である。
【０００７】
このように、ブロック映像を刺激の少ないものにする映像処理装置は、種々の装置に採用することができる。すなわち、映像信号入力手段にて視聴許容ランクの付加された映像信号を入力することができればよく、本発明をテレビジョンに適用して、上記映像信号入力手段にてテレビジョン放送信号を入力してもよいし、ビデオデッキ等に適用して所定の記録媒体に記録された再生映像信号を入力してもよい。また、視聴許容ランク抽出手段においては、視聴許容ランクの付加された映像信号からこの視聴許容ランクを抽出することができればよい。例えば、いわゆるレーティング情報として映像信号中の水平同期信号の「２１Ｈ（フィールド１）」と「２８４Ｈ（フィールド２）」に重畳された情報から上記視聴許容ランクを抽出することが考えられる。
【０００８】
さらに、本映像処理装置が適用できる装置はアナログ映像信号に基づいて出力映像を得るものに限られない。すなわち、デジタルの映像信号に基づいて受像管に所定の映像を出力する装置において当該デジタル映像信号に上記視聴許容ランク情報を付加しておけば、この視聴許容ランクの抽出によってその映像の視聴にブロックをかける際に、刺激が少ない映像でブロックすることができる。例えば、コンピュータにおいてＭＰＥＧファイル等にかかる映像を再生して受像管で視聴する場合や、デジタル放送番組をデジタル放送対応テレビジョンで視聴する場合のブロック時にも使用可能である。また、この場合は、出力画像をドットマトリクス状の画素単位で指定することも想定され、かかる場合には各画素間の彩度を調整して上記視聴者に対する刺激を少なくすることも考えられる。
【０００９】
またブロック実行手段においては、ブロック実行時に視聴者に対する刺激が少ない映像を上記受像管に出力させることができればよく、様々な構成が考えられる。その構成の一例として、上記ブロック実行手段は、出力映像として所定のグラフィックパターンを表示させるオンスクリーン表示部を具備し、上記ブロック実行時に同オンスクリーン表示部にて前記所定のＲＧＢデータを出力させることにより低輝度のグラフィックパターンを表示する構成としてもよい。
【００１０】
上記のように構成すると、ブロック実行手段は出力映像として所定のグラフィックパターンを表示させるオンスクリーン表示部を具備している。そして、上記ブロック実行時には同オンスクリーン表示部にて低輝度のグラフィックパターンを表示する。ここで、低輝度のグラフィックパターンは上述の刺激が少ない映像の一種であり視聴者にまぶしさを感じさせることはないし、完全な黒の映像でもないことから視聴者に違和感を与えることもない。また、グラフィックパターンは任意であり、単色バックのみでブロックすること等も可能であるし、低輝度の単色バックにブロック中である旨や視聴許容ランクを表示すると視聴者に対してブロック実行を明確に示すことができて好適である。
【００１１】
さらに、ブロック実行のための他の構成の一例として、上記ブロック実行手段は、映像信号を増幅する映像信号増幅回路の利得を調整可能であり、上記ブロック時の出力映像信号に対する利得を小さくして出力映像のコントラストを小さくする構成としてもよい。
【００１２】
上記のように構成すると、上記ブロック実行手段は、映像信号を増幅する映像信号増幅回路の利得を調整可能である。そして、上記ブロック時には当該映像信号増幅回路を調整して出力映像信号に対する利得を小さくし、出力映像のコントラストを小さくする。すなわち、上記受像管にブロック時の所定の映像を表示するにしても、その元となる信号は映像信号増幅回路による増幅を受けている。そこで、かかる増幅の利得を小さくすることによって、増幅結果の信号が全体として適正なレベルに達しないようにする。この結果、輝度レベルは全体として低減される。さらに、適正な増幅を受けた信号と小利得にかかる信号とを比較すると、後者の方が信号全体にハイレベルとローレベルとの差が小さいのでコントラストも小さくなる。
【００１３】
さらに、このように映像信号増幅回路の利得を調整するための構成の一例として、上記ブロック実行手段は、入力映像信号のレベルに応じて映像増幅回路の利得を制御するための自動利得制御回路を調整することによって、映像増幅の利得を小さくする構成としてもよい。
【００１４】
上記のように構成すると、上記ブロック実行手段は、自動利得制御回路を調整することによって映像増幅の利得を小さくする。ここで、自動利得制御回路は一般にＡＧＣ（Ａｕｔｏ Ｇａｉｎ Ｃｏｎｔｏｒｏｌ）回路等と呼ばれる入力映像信号のレベルに応じて映像増幅回路の利得を制御する回路である。すなわち、ＡＧＣ回路は映像増幅回路に使用されるトランジスタを制御するなどしてその利得を制御することが可能であるので、ブロック実行手段によってＡＧＣ回路を調整可能に構成すれば簡単に映像増幅の利得を小さくすることができる。
【００１５】
さらに、ブロック実行のための他の構成の一例として、上記ブロック実行手段は、上記受像管のカソードに印加する電圧レベルを調整可能であり、上記ブロック時に同カソード電圧レベルを調整して上記映像信号に基づく映像出力の輝度を小さくする構成としてもよい。
【００１６】
上記のように構成すると、上記ブロック実行手段は、上記受像管のカソードに印加する電圧レベルを調整可能である。そして、上記ブロック時に同カソード電圧レベルを調整して上記映像信号に基づく映像出力の輝度を小さくする。すなわち、映像を出力するために一般にはクロマＩＣからのＲＧＢ出力を高圧アンプで増幅した後に受像管のカソードに印加して、所定の電子ビームを出力させる。ここで、この高圧アンプが上述したカソード印加電圧レベルの調整をする回路であり、かかる高圧アンプの利得を小さくすることによって映像出力の輝度を小さくすることができる。
【００１７】
このように、ブロック実行時に視聴者に対する刺激の少ない映像を出力させる手法は必ずしも実体のある装置に限られる必要はなく、その方法としても機能することは容易に理解できる。
このため、請求項４にかかる発明は、入力映像信号に基づく映像を受像管に対して出力する際に、ライン２１やライン２８４に重畳されたレーティング情報を抽出し、該レーティング情報に応じて当該映像を識別不可能になるようブロックする映像処理方法であって、上記レーティング情報の付加された映像信号から上記レーティング情報を抽出するレーティング情報抽出工程と、このレーティング情報抽出工程にて抽出されたレーティング情報が所定の視聴禁止レーティングを超える場合に、該レーティング情報を受信した直後に入力された前記映像信号に基づく映像出力を停止させ且つ所定のＲＧＢデータを上記受像管に出力させて上記ブロックを実行する一方、前記レーティング情報抽出工程にて抽出されたレーティング情報が所定の視聴禁止レーティングを超えない場合には該レーティング情報を受信した直後に入力された前記映像信号に基づく映像を前記受像管に出力させ且つ前記受像管に対する前記所定のＲＧＢデータの出力を行わないブロック実行工程と、を具備し、前記ブロック実行工程においては、前記ブロックを実行するにあたり、レーティング情報を抽出してから該レーティング情報に基づく前記所定のＲＧＢデータの表示が開始されるまでの間に、入力映像信号のレベルに応じて映像増幅回路の利得を調整するための自動利得調整回路を制御して前記利得を通常よりも低下させることにより出力映像のコントラストを小さくする一方、前記ブロックを解除するにあたり、レーティング情報を抽出してから該レーティング情報に基づいて前記所定のＲＧＢデータの出力が停止されると、該停止後に前記自動利得調整回路を制御して前記利得を通常に戻す構成としてある。すなわち、必ずしも実体のある装置に限らず、その方法としても有効であることに相違はない。
【００１８】
【発明の効果】
以上説明したように本発明は、映像信号から抽出した視聴許容ランクが所定の視聴禁止ランクを超える場合、視聴者に対する刺激が少ない映像でブロックする。従って、視聴者が映像変化を急激なものと感じることがなくて目に優しく、自然な感じを抱かせるブロック処理を行うことが可能な映像処理装置を提供することができる。また、簡易な構成により刺激の少ない映像にてブロックを実行することができる。さらに、通常の映像出力装置に備える機器を調整することのみで簡単に刺激の少ない映像にてブロックを実行することができる。
また、請求項２にかかる発明によれば、簡易な構成により刺激の少ない映像にてブロックを実行することができる。
【００１９】
さらに、請求項３にかかる発明によれば、通常の映像出力装置に備える機器を調整することのみで簡単に刺激の少ない映像にてブロックを実行することができる。さらに、請求項４にかかる発明によれば、映像信号から抽出した視聴許容ランクが所定の視聴禁止ランクを超える場合、視聴者に対する刺激が少ない映像でブロックする。従って、視聴者が映像変化を急激なものと感じることがなくて目に優しく、自然な感じを抱かせるブロック処理を行うことが可能な映像処理方法を提供することができる。
【００２０】
【発明の実施の形態】
以下、図面にもとづいて本発明の実施形態を説明する。
図１は、本発明の一実施形態にかかる映像処理装置を適用したテレビジョンセットを概略ブロック図により示している。同図において、チューナ１０は、アンテナを介してテレビ放送帯域に対応した所望周波数の信号を受信するとともに、受信した信号から所要の信号だけを選択して高周波増幅し、中間周波信号（ＩＦ）に変換して出力する。本実施形態におけるチューナ１０は、いわゆるＰＬＬ方式の選局機構を採用しており、所定の周波数データの入力に基づいて局部発振周波数を直接的に制御することにより、受信周波数を制御可能となっている。ここで、上記中間周波信号には同期信号と映像信号とが含まれており、同映像信号中の水平同期信号の「２１Ｈ（フィールド１）」と「２８４Ｈ（フィールド２）」にレーティング情報が重畳されている。従って、本実施形態においてはチューナ１０が映像信号入力手段を構成する。
【００２１】
チューナ１０から出力された中間周波信号は、クロマＩＣ２０に入力される。このクロマＩＣ２０は、概略、図２に示すように構成されており、各種の信号処理を行っている。同図において、クロマＩＣ２０に入力された中間周波信号は信号系回路２１に入力され、ＡＧＣ回路２２によって受信映像信号の強弱に応じたフィードバック制御を受けつつ適正な利得で中間周波増幅される。中間周波増幅がなされた後には映像検波され、その検波出力に基づいて所定の色復調処理が施されてＲＧＢ信号が出力される。
【００２２】
ここで、上記ＡＧＣ回路２２は後述するマイコン４０からのＡＧＣＣＯＮＴＲＯＬ信号が入力されるようになっており、同ＡＧＣＣＯＮＴＯＲＯＬ信号入力中はＡＧＣ回路２２の制御に基づく利得は小さく保たれるようになっている。また、音声中間周波信号は上記の中間周波増幅の過程において第二音声中間周波信号として取り出され、ＦＭ検波を経てＡＵＤＩＯ信号が出力される。信号系回路２１から出力されたＲＧＢ信号は外部のカソードアンプ３１に出力され、このカソードアンプ３１にて適宜増幅されてＣＲＴ３２に供給される。一方、上記ＡＵＤＩＯ信号についても同様に外部のオーディオアンプ３３に出力され、このオーディオアンプ３３にて適宜増幅されてスピーカ３４に供給される。
【００２３】
さらに、信号系回路２１においては、上記検波出力から水平および垂直同期信号（ＳＹＮＣ）を分離してクロマＩＣ２０内の同期系回路２３および後述するマイコン４０に供給している。この同期系回路２３では、クロマＩＣ２０内に配設された発振回路から上記水平および垂直同期信号に対応した発振出力が入力されており、通常、それぞれの発振出力と信号系回路２１からの水平および垂直同期信号とでＰＬＬループを構成している。このＰＬＬループによって対応する発振出力と位相がロックした信号は水平・垂直ドライブ信号として外部の偏向回路３５に出力され、この偏向回路３５によってＣＲＴ３２のビームが水平および垂直方向にドライブされる。
【００２４】
チューナ１０の選局制御など、テレビジョンセット全体の制御はマイコン４０によって行われている。このマイコン４０と上述したチューナ１０やクロマＩＣ２０およびＥＥＰＲＯＭ６０は所定のＩＩＣバスに接続されており、このＩＩＣバスを介して相互に通信可能となっている。例えば、チューナ１０の選局制御についてみれば、リモコン５０にて所望のチャンネルを選局すべく操作すると、同リモコン５０から対応する赤外線リモコン信号が送信される。マイコン４０は、図示しない赤外線受光部を介して同赤外線リモコン信号を受信して選局しようとするチャンネルを検知し、ＩＩＣバスを介して対応する周波数データをチューナ１０に送出する。すると、チューナ１０は同周波数データに基づくチャンネル周波数に同調することになる。
【００２５】
また、マイコン４０は上記ＩＩＣバスを介してＯＳＤ表示用のＲＧＢデータを上記クロマＩＣ２０内の信号系回路２１に対して出力可能に構成されており、上記信号系回路２１に当該ＲＧＢデータが入力されると、同信号系回路２１内で所定の増幅をうけて上記カソードアンプ３１に出力される。ここで、このＯＳＤ表示用のＲＧＢデータを増幅する際には上記ＡＧＣ回路２２によってその利得を調整するようになっており、通常時にはＣＲＴ３２に適正輝度でＯＳＤ表示がなされるような利得になっている。また、本実施形態においては、上記中間周波信号および上記ＯＳＤ表示用のＲＧＢデータはＡＧＣ回路２２によって増幅可能に構成されており、ＯＳＤ表示中においても上記レーティング情報抽出のため、映像検波を停止することはないが、ＣＲＴ３２にＯＳＤ表示用のＲＧＢデータのみに基づく映像を表示するため、ＯＳＤ表示用のＲＧＢデータ入力と同時に中間周波信号に基づくＲＧＢ信号を外部に出力しないようスイッチする。
【００２６】
さらに、このマイコン４０にはクロマＩＣ２０の信号系回路２１にて分離された同期信号が供給されており、当該マイコン４０は、入力された水平同期信号の「２１Ｈ（フィールド１）」と「２８４Ｈ（フィールド２）」に重畳されたレーティング情報を抽出している。このレーティング情報は、映像を教育、バラエティ、暴力シーンおよび成人向け等のランクに区分したものであり、子供をもつ親が予め所定の視聴禁止レーティングを設定しておくことにより、同視聴禁止レーティングを超える映像および音声を自分の子供に視聴させないようにする等の目的で利用される。むろん、本実施形態においては、水平同期信号に重畳されたレーティング情報が視聴許容ランクであり、利用者によって設定可能な視聴禁止レーティングが視聴禁止ランクであり、同レーティング情報を抽出するマイコン４０が視聴許容ランク抽出手段を構成する。なお、視聴禁止レーティングは、リモコン５０を用いて設定可能であり、実際に設定操作を実行すると、マイコン４０が検知して上記ＩＩＣバスに接続されたＥＥＰＲＯＭ６０に記憶するようになっている。
【００２７】
ここで、マイコン４０はクロマＩＣ２０内のＡＧＣ回路２２に対して上記ＡＧＣＣＯＮＴＲＯＬ信号を出力可能に構成されており、上述のレーティング情報を抽出して同抽出レーティングと上記ＥＥＰＲＯＭ６０に記憶された視聴禁止レーティングとを比較して、抽出レーティング情報が視聴禁止レーティングを越えているときにＡＧＣＣＯＮＴＲＯＬ信号を上記信号系回路２１に入力する。従って、上記ＡＧＣＣＯＮＴＲＯＬ信号を出力し、上述のようにＡＧＣ回路２２の制御に基づく利得を小さく保つ。また、このとき上記ＯＳＤ表示用のＲＧＢデータを出力する。すなわち、抽出レーティング情報が視聴禁止レーティングを越えているときに上記ブロックを実行するため上記ＯＳＤ表示を行うとともにＡＧＣ回路２２によって利得を小さくするよう制御してブロック時の映像を視聴者に対する刺激が少ないものにする。従って、ＯＳＤ表示用ＲＧＢデータとＡＧＣＣＯＮＴＲＯＬとを出力するマイコン４０が上記ブロック実行手段を構成する。
【００２８】
図３は、上述のマイコン４０がブロック実行のために行う処理をフローチャートにより示している。同図において、ステップＳ１１０ではクロマＩＣ２０から供給される水平同期信号から抽出したレーティング情報と、上述のようにして設定されてＥＥＰＲＯＭ６０に記憶された視聴禁止レーティングとを比較し、前者が後者の許容範囲内にあるか否かを判断する。同ステップＳ１１０にて許容範囲を超えていると判断した場合には、ステップＳ１２０にて上記ＡＧＣＣＯＮＴＯＲＯＬ信号を出力し、ＡＧＣ回路２２が小さい利得で上記信号系回路２１での信号増幅を行うようにする。そして、ステップＳ１３０にて上記信号系回路２１に対してＩＩＣバスを介してＯＳＤ表示用のＲＧＢデータを出力して、ＣＲＴ３２にブロック表示を行わせる。この後、上記ステップＳ１１０に戻って上記レーティングの比較を繰り返す。
【００２９】
同ステップＳ１１０にて抽出したレーティング情報が視聴禁止レーティングの許容範囲内であると判断した場合にはステップＳ１４０において上記ステップＳ１３０で出力を開始したＯＳＤ表示用のＲＧＢデータの出力を停止して上記信号系回路２１に再び中間周波信号を供給する。そして、ステップＳ１５０において上記ステップＳ１２０で出力を開始したＡＧＣＣＯＮＴＲＯＬ信号の出力を停止する。従って、上記ＡＧＣ回路２２の制御により適正な利得で上記中間周波信号が増幅されつつ上記ＲＧＢ信号がカソードアンプ３１に出力され、ＣＲＴ３２にテレビ放送に基づく映像が表示される。
【００３０】
また、ステップＳ１４０およびステップＳ１５０にて上記ＯＳＤ表示用ＲＧＢデータの出力と上記ＡＧＣＣＯＮＴＲＯＬ信号の出力を停止するが、ブロック実行をしていない状態で上記ステップＳ１１０の判別を行って上記許容範囲内であると判断したときには、もともとこれらの出力はされておらず、これらの出力を停止するまでもなく通常どおりにＣＲＴ３２にて映像が表示されるとともにスピーカ３４から音声が出力される。
【００３１】
次に、上記のように構成した本実施形態の動作について説明する。
利用者は、リモコン５０などを操作することにより、自分の子供等に見せたくない映像に応じて所定の視聴禁止レーティングを予め設定してあるものとする。利用者がリモコン５０などを用いて所望のチャンネルを選局させるべく操作すると、同操作をマイコン４０が検知して対応する周波数データをＩＩＣバスを介してチューナ１０に送出する。すると、チューナ１０は同周波数データに基づいて選局しようとするチャンネル周波数に同調して中間周波信号を出力する。
【００３２】
この中間周波信号は通常時はクロマＩＣ２０に入力され、内部の信号系回路２１が中間周波増幅するとともに映像検波し、その検波出力に基づいて所定の色復調処理を施してＲＧＢ信号を出力する。そして、このＲＧＢ信号は外部のカソードアンプ３１に出力され、当該カソードアンプ３１にて適宜増幅されてＣＲＴ３２に供給される。この状態は、テレビ放送に基づく映像をそのままＣＲＴ３２に表示するときのものである。また、信号系回路２１は、中間周波増幅の過程において取り出される第二音声中間周波信号をＦＭ検波してＡＵＤＩＯ信号を出力する。そして、このＡＵＤＩＯ信号は、通常時において外部のオーディオアンプ３３に出力され、当該オーディオアンプ３３にて適宜増幅されてスピーカ３４に供給される。
【００３３】
さらに、信号系回路２１は、上記検波出力から水平および垂直同期信号を分離して同期系回路２３およびマイコン４０に出力している。同期系回路２３には発振回路から上記水平および垂直同期信号に対応した発振出力が入力されており、通常時においてそれぞれの発振出力を信号系回路２１からの水平および垂直同期信号に位相をロックさせつつ水平・垂直ドライブ信号として外部の偏向回路３５に出力する。そして、この偏向回路３５によってＣＲＴ３２のビームを水平および垂直方向にドライブする。
【００３４】
一方、マイコン４０は、上記のようにして入力された水平同期信号からレーティング情報を抽出するとともに、このレーティング情報と利用者によって設定された視聴禁止レーティングを比較しており（ステップＳ１１０）、前者が後者を超えたものと判断するといわゆるブロック実行モードに入り、上記ＡＧＣＣＯＮＴＲＯＬ信号を出力して上記ＡＧＣ回路２２をして小さい利得で上記信号系回路２１での信号増幅を行わせる（ステップＳ１２０）。このとき、マイコン４０は上記ＩＩＣバスを介してＯＳＤ表示用のＲＧＢデータを出力しており（ステップＳ１３０）、上記中間周波信号に基づくＲＧＢ信号の外部への出力を停止するとともに信号系回路２１に当該ＲＧＢデータを入力する。
【００３５】
図４は、上記ＡＧＣ回路２２にて利得を小さくして増幅を行った場合と通常の利得で増幅を行った場合との信号の比較を示している。同図（ａ）はＯＳＤ表示を行うための増幅前の信号の一例を示しており、同図（ｂ）は小さい利得で増幅を行った場合の信号系回路２１の出力信号を示しており、同図（ｃ）は通常の利得で増幅を行った場合の信号系回路２１の出力信号を示している。また、各図においてＰはペデスタルレベルを示し、図４（ｂ），（ｃ）の縦軸は上記ＣＲＴ３２で表示される輝度レベルに相当する。
【００３６】
同図（ｃ）に示す信号によるとその輝度レベルは大きく、視聴者は当該信号に基づく映像を視聴したときに色の強さ等によって違和感を覚えることがある。しかし、同図（ｂ）に示す信号によるとその輝度レベルは「０」ではないものの低レベルに抑えられており、急激に画面が変わったとしても視聴者が違和感を覚えることはない。また、このように輝度レベルが「０」ではないので、黒色が非常に目立って違和感を与えることもない。
【００３７】
さらに、かかるブロック実行時においてマイコン４０は入力される水平同期信号からレーティング情報を抽出して上記比較を続けており（ステップＳ１１０）、抽出したレーティング情報が視聴禁止レーティングの範囲内になったら上記ＯＳＤ表示用のＲＧＢデータとＡＧＣＣＯＮＴＲＯＬ信号の出力を停止する（ステップＳ１４０，１５０）。従って、この状態ではＡＧＣ回路２２も通常通り受信信号に応じたフィードバック制御を行い入力される映像信号を適正な利得で増幅し、上記ＣＲＴ３２に通常と同様にしてテレビ放送に基づく映像が表示される。
【００３８】
ここで、本実施形態においては、映像信号の入力源としてチューナ１０を用いる構成としているが、むろん、かかる構成に限られることはなく適宜変更可能である。例えば、ビデオテープ等の記録媒体から読み出して得られた映像信号を入力してテレビ画面に表示する場合にも適用可能である。さらに、本発明はブロック時の映像を刺激が少ないものにすることができればよく、ブロックを行うための構成が異なったとしても適用することは可能である。
【００３９】
例えば、ブロック時の映像を上述のようにＯＳＤ表示にするのではなく、同期系回路２３におけるＰＬＬループの位相同期を解除して生成する場合にも適用可能である。より具体的には、ブロック時の映像を生成するため、マイコン４０から同期系回路２３に対して所定の信号を出力可能に構成し、この信号により同期系回路２３に備えるＡＰＣ回路とループフィルタとの接続点の電圧を固定化して位相同期を解除可能にする。
【００４０】
このようにして位相同期を解除すると、ＣＲＴ３２に表示される映像は適正なものではなくなって視聴者が何らかの意味のある映像として視認することがなくなる。そして、このブロック時に上述の実施形態と同様にしてＡＧＣＣＯＮＴＲＯＬ信号によって、ＡＧＣ回路２２をして信号系回路２１での利得を小さく保つようにすると、ＣＲＴ３２には上述のように視聴者が何らかの意味のある映像として視認することが不可能な映像が表示されつつもその輝度が低下して、刺激が少ない映像が表示されることとなる。
【００４１】
さらに、クロマＩＣ２０からブロック時の映像としてどのようなものが出力されているにしても、ＣＲＴ３２のカソードに印加する電圧が所定のレベルに達していなければその映像は適正な輝度より低くなる。そこで、本発明にかかる第三の実施形態として、上記カソードアンプ３１の利得を小さくすることも考えられる。図５はこの場合の要部を示す概略ブロック図であり、同図において、マイコン４０からはカソードアンプ３１に対してカソードＣＯＮＴＲＯＬ信号が出力されるようになっている。
【００４２】
同カソードアンプ３１の利得は上記カソードＣＯＮＴＲＯＬ信号が入力されることによって小さくなるように構成されており、同カソードＣＯＮＴＲＯＬ信号が入力していない通常の状態では入力されるＲＧＢ信号を適正な利得で増幅して所定の映像を上記ＣＲＴ３２に表示させる。かかる構成において、マイコン４０にてブロック実行時にこのカソードＣＯＮＴＲＯＬ信号を出力するとＣＲＴ３２に表示される映像の輝度が小さくなって視聴者に対する刺激が少なくなる。
【００４３】
このように、本発明においては、視聴許容ランクを抽出し同視聴許容ランクが所定の視聴禁止ランクを超える場合に映像信号に基づく映像を識別不可能になるようブロックする際に、視聴者に対する刺激が少ない映像を受像管に出力させて上記ブロックを実行する。従って、視聴者が映像変化を急激なものと感じることがなくて目に優しく、自然な感じを抱かせるブロック処理を行うことができる。
【図面の簡単な説明】
【図１】本発明の一実施形態にかかる映像処理装置を適用したテレビジョンセットを示す概略ブロック図である。
【図２】本発明の一実施形態にかかる映像処理装置の要部回路図である。
【図３】マイコンがブロック実行のために行う処理を示すフローチャートである。
【図４】ブロック実行時の信号態様を示す図である。
【図５】他の実施形態にかかる映像処理装置の要部ブロック図である。
【符号の説明】
１０…チューナ
２０…クロマＩＣ
２１…信号系回路
２２…ＡＧＣ回路
２３…同期系回路
３１…カソードアンプ
３２…ＣＲＴ
３３…オーディオアンプ
３４…スピーカ
３５…偏向回路
４０…マイコン
５０…リモコン
６０…ＥＥＰＲＯＭ
【図１】
0004210815.tif 000002
【図２】
0004210815.tif 000003
【図３】
0004210815.tif 000004
【図４】
0004210815.tif 000005
【図５】
0004210815.tif 000006